(57)【要約】折り畳まれたカット紙状の紙葉類（Ｐ）の対向する両葉片（Ｐａ，Ｐｂ）間に、圧着フィルムＦを、上下動可能に設けられた支持板（５１）上に載置された状態で挿入し、その後、両葉片（Ｐａ，Ｐｂ）間から支持板（５１）を抜き取り、両葉片（Ｐａ，Ｐｂ）間に圧着フィルムＦのみが挿入された状態にした紙葉類（Ｐ）を紙葉類圧着手段（７０）及び紙葉類切断手段（８０）に供することにより、剥離展開可能な葉書その他の圧着紙葉類（Ｑ）を製造する圧着紙葉類製造装置における圧着フィルム挿入手段であり、これに使用される前記支持板（５１）の縁辺部分（５１ｘ）に、その先端方向に下り傾斜し且つその先端で実質的に鋭角を生じる斜辺（５１ｙ）が形成される。これにより、前記紙葉類（Ｐ）として極端なカールを起こして表面に凹凸変形を生じたものが使用されても、圧着フィルムＦの挿入が円滑に行なわれる。
2004002749.tif 000002
【特許請求の範囲】
【請求項１】
複数の葉片が折り線を介して連接されてなるカット紙状の各紙葉類をその給紙部から所定の紙葉類搬送路に沿って逐次搬送する紙葉類搬送手段と、紙葉類搬送路上において各紙葉類を折り畳む紙葉類折畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなるカット紙用の圧着紙葉類製造装置における前記圧着フィルム挿入手段であって、
前記交差域に上下動可能に設けられ、供給されてくる圧着フィルムを上面に載置させる支持板と、前記支持板の上下駆動可能に設けられ、下側葉片が上側葉片より若干長くなるように折り畳まれた紙葉類が前記交差域に搬送されると共に該紙葉類の上側葉片が支持板より上流側に配置され且つ下側葉片が支持板の下方に配置されたときに、前記支持板を圧着フィルムと一体に下降させると共にそれによって該下側葉片を押し下げて両葉片間を強制的に開口させる支持板駆動手段と、両葉片間が開口した前記紙葉類を圧着フィルムが載置された支持板に向けて送り込むと共にそれによって両葉片間に支持板と圧着フィルムを同時に挿入する紙葉類送込み手段と、両葉片間に支持板と圧着フィルムが挿入された前記紙葉類から支持板のみを抜き取ると共にそれによって紙葉類をその両葉片間に圧着フィルムのみが挿入された状態にする支持板抜取り手段とからなる構造において、
前記支持板における両葉片間に挿入される側の縁辺部分に、その先端方向に下り傾斜し且つその先端で実質的に鋭角を生じる斜辺が形成されたことを特徴とする圧着紙葉類製造装置における圧着フィルム挿入手段。
【請求項２】
前記斜辺が、支持板における両葉片間に挿入される側の縁辺部分より上方に延長された、請求項１に記載の圧着紙葉類製造装置における圧着フィルム挿入手段。
【請求項３】
前記斜辺が、断面直線状及び／又は断面曲線状に形成された、請求項１又は２に記載の圧着紙葉類製造装置における圧着フィルム挿入手段。
【請求項４】
前記斜辺が、支持板の前記縁辺部分に取り付けた別部材により形成された、請求項１〜３の何れかに記載の圧着紙葉類製造装置における圧着フィルム挿入手段。
【請求項５】
前記縁辺部分における斜辺の先端に、面取り及び／又はアール加工が施された、請求項１〜４の何れかに記載の圧着紙葉類製造装置における圧着フィルム挿入手段。
【請求項６】
斜辺が形成された前記縁辺部分に、該斜辺の後方に隣接して、圧着フィルムにおける両葉片間に挿入される側の縁辺部分を案内する当たりが形成された、請求項１〜５の何れかに記載の圧着紙葉類製造装置における圧着フィルム挿入手段。
【請求項７】
斜辺が形成された前記縁辺部分が、支持板本体に対して上向きに湾曲させられた、請求項１〜６の何れかに記載の圧着紙葉類製造装置における圧着フィルム挿入手段。
【請求項８】
斜辺が形成された前記縁辺部分が、断面直線状及び／又は断面曲線状に湾曲させられた、請求項７に記載の圧着紙葉類製造装置における圧着フィルム挿入手段。
【請求項９】
前記交差域に搬送されてきた紙葉類の下側葉片が支持板に到達する前に、前記支持板における斜辺が形成された縁辺部分が、支持板持上げ手段により一時的に上昇させられるようにした、請求項１〜８の何れかに記載の圧着紙葉類製造装置における圧着フィルム挿入手段。
【請求項１０】
前記支持板持上げ手段が、支持板の下方に配置されたプッシュロッドを駆動手段により支持板の上昇可能に駆動するものである、請求項９に記載の圧着紙葉類製造装置における圧着フィルム挿入手段。
【発明の詳細な説明】
【技術分野】  本発明は、ダイレクトメールを始め、葉書、往復葉書、封書等に利用可能な圧着紙葉類を製造するための、カット紙状の紙葉類を用いる圧着紙葉類製造装置に関する。詳しくは、見掛けは通常のダイレクトメール、葉書、往復葉書、封書等であるにもかかわらず、多層に折り畳まれた紙葉類が圧着フィルムを介して剥離可能に圧着積層されているため、内部に多量の情報を隠蔽することが可能な圧着紙葉類をカット紙状の紙葉類から製造するための圧着紙葉類製造装置における圧着フィルム挿入手段に関する。
【背景技術】  最近、葉書等の郵便物として、情報が表示された複数の葉片が折り線を介して連接された紙葉類を折り畳むと共に対向する葉片間を剥離可能に接着して、多量の情報を送信可能にした圧着紙葉類が多用されている。
前記のような圧着紙葉類の製造装置として、例えば日本国の特開平５−３８８９４号公報や特開平９−７６６６５号公報には、複数の葉片が折り線を介して連接されてなる各紙葉類をその給紙部から所定の紙葉類搬送路に沿って逐次搬送する紙葉類搬送手段と、紙葉類搬送路上において各紙葉類を折り畳む紙葉類折畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなる基本構造を備えたものが提案されている。
前記製造装置により得られる圧着紙葉類は、これを前記のように圧着された両葉片間から開封することにより、該葉片間に挟まれた圧着フィルムの２層の透明フィルム間が剥離され、それによって該圧着紙葉類は、各葉片の情報表示面に透明フィルムが被覆されると共に各葉片上の情報が前記透明フィルムを透して視認され得る状態で展開されることになる。
前記圧着紙葉類では、受取人側で剥離展開されるまでは、各葉片上の情報が外部から視認できないのでプライバシー保護等の秘匿性に優れ、また単葉の書簡等と比較して遥かに多量の情報を通常料金で送信できるので情報量に対する送信費用が大幅に軽減され、さらに各葉片上の情報が透明フィルムで被覆されているので情報の保存性、耐水性、耐汚性等に優れると共に情報に美観を付与して情報伝達の促進や広告宣伝の促進等の効果も奏するものである。
しかし、前記製造装置の何れも、概して大量生産型のものであり、通信販売や通信教育等の大手企業が大量の会員に発信する通知等に利用するには適しているが、例えば中小事務所が少数の会員に定期的に通知する場合に前記のような大掛かりな製造装置を使用すると圧着紙葉類の製造単価が極端に上がるために、小ロットの製造に対応するには無理があった。
特に、特開平５−３８８９４号公報に開示された圧着紙葉類製造装置では、紙葉類として連続フォーム用紙を用いることから該紙葉類の印刷に専用の連続フォーム印刷機を必要とし、例えば中小事務所や家庭等で、パーソナルコンピュータの出力用として一般に使用されているプリンタでは前記連続フォーム用紙の印刷に対応することができないという問題があった。
また、特開平９−７６６６５号公報に開示された圧着紙葉類製造装置では、紙葉類として１枚ずつ搬送される非連続のカット紙を用いることから、紙葉類の印刷に関する前記問題は解決されるが、この製造装置における圧着フィルム挿入手段では、搬送される紙葉類の折り畳みの途中で、圧着フィルムを前記紙葉類と同じ速度で供給しつつ該紙葉類の対向する葉片間に連続的に挿入するという困難な作業を必要とするものであった。
一方、紙葉類の葉片間への圧着フィルムの挿入手段が特に改良され、構造が簡素で小型化の可能な、カット紙状の紙葉類を用いる圧着紙葉類製造装置に係る発明が、本出願人の協力下にジェーディーエルエンジニアリング株式会社により完成され、特願２００１−２９６９７９号として２００２年５月２日付けで出願されている。なお、この特許出願は、現在、ジェーディーエルエンジニアリング株式会社と本出願人であるケイディケイ株式会社との共有となっている。
特願２００１−２９６９７９号に係る前記圧着紙葉類製造装置における圧着フィルム挿入手段は、紙葉類折畳み手段より下流の紙葉類搬送路と圧着フィルム供給路との前記交差域に上下動可能に設けられ、供給されてくる圧着フィルムを上面に載置させる支持板と、前記支持板の上下駆動可能に設けられ、下側葉片が上側葉片より若干長くなるように折り畳まれた紙葉類が前記交差域に搬送されると共に該紙葉類の上側葉片が支持板より上流側に配置され且つ下側葉片が支持板の下方に配置されたときに、前記支持板を圧着フィルムと一体に下降させると共にそれによって該下側葉片を押し下げて両葉片間を強制的に開口させる支持板駆動手段と、両葉片間が開口した前記紙葉類を圧着フィルムが載置された支持板に向けて送り込むと共にそれによって両葉片間に支持板と圧着フィルムを同時に挿入する紙葉類送込み手段とを包含し、さらに、両葉片間に支持板と圧着フィルムが挿入された前記紙葉類から支持板のみを抜き取ると共にそれによって紙葉類をその両葉片間に圧着フィルムのみが挿入された状態にする支持板抜取り手段を事実上必要としている。
【発明の開示】
本発明者等は、前記構造の圧着フィルム挿入手段について種々の条件下における実験を独自に繰り返した結果、支持板を用いる前記圧着フィルム挿入手段では、例えば、紙葉類が、その印刷処理に際して、使用されるプリンタの機種や印刷方式、印刷条件等によっては高温を受け、極端なカールを起こして表面に凹凸変形を生じ、その結果として、折り畳まれた前記紙葉類における上側葉片が波打って下側葉片に向かって垂れ下がるような場合には、既述のような支持板の下降に伴う下側葉片の押し下げによっても両葉片間が十分に開口せず、そのため両葉片間に圧着フィルムが既述のような態様で円滑に挿入されないことになるという新たな問題があることを見出した。
この発明の解決すべき課題は、かかる問題に鑑み、カット紙状の紙葉類を用いる圧着紙葉類製造装置において、印刷処理に際してカールを起こして表面に凹凸変形を生じた紙葉類を使用した場合でも、折り畳まれた紙葉類の両葉片間に圧着フィルムをジャミング等の発生なしに円滑に挿入することができる圧着フィルム挿入手段を提供することにある。
本発明の第一の態様に係る圧着紙葉類製造装置における圧着フィルム挿入手段は、複数の葉片が折り線を介して連接されてなるカット紙状の各紙葉類をその給紙部から所定の紙葉類搬送路に沿って逐次搬送する紙葉類搬送手段と、紙葉類搬送路上において各紙葉類を折り畳む紙葉類折畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなる圧着紙葉類製造装置における前記圧着フィルム挿入手段であって、
前記交差域に上下動可能に設けられ、供給されてくる圧着フィルムを上面に載置させる支持板と、前記支持板の上下駆動可能に設けられ、下側葉片が上側葉片より若干長くなるように折り畳まれた紙葉類が前記交差域に搬送されると共に該紙葉類の上側葉片が支持板より上流側に配置され且つ下側葉片が支持板の下方に配置されたときに、前記支持板を圧着フィルムと一体に下降させると共にそれによって該下側葉片を押し下げて両葉片間を強制的に開口させる支持板駆動手段と、両葉片間が開口した前記紙葉類を圧着フィルムが載置された支持板に向けて送り込むと共にそれによって両葉片間に支持板と圧着フィルムを同時に挿入する紙葉類送込み手段と、両葉片間に支持板と圧着フィルムが挿入された前記紙葉類から支持板のみを抜き取ると共にそれによって紙葉類をその両葉片間に圧着フィルムのみが挿入された状態にする支持板抜取り手段とからなる構造において、
前記支持板における両葉片間に挿入される側の縁辺部分に、その先端方向に下り傾斜し且つその先端で実質的に鋭角を生じる斜辺が形成されたことを特徴としている。
前記構成によれば、紙葉類送込み手段により、両葉片間が開口した前記紙葉類を圧着フィルムが載置された支持板に向けて送り込むに従って、該支持板の縁辺部分に形成された斜辺がその鋭角をなす先端から開口した両葉片間に進入し、そのときに生じる前記斜辺の楔作用により、上側葉片が支持板の前記斜辺上を滑り上がると共に上下の両葉片間が強制的に開口されるので、両葉片間への支持板及び圧着フィルムの挿入が円滑に行われることになる。
前記の場合、仮に紙葉類がその印刷処理でカールを生じて表面に凹凸変形を生じ、そのために前記上側葉片が下方に垂れ下がり、支持板駆動手段の作動後も両葉片間の開口が不完全であっても、前記支持板の斜辺はその先端から開口が不完全な両葉片間に容易に進入し、上側葉片に前記楔作用を及ぼしてこれを上方に開かせると共に両葉片間を強制的に開口させることができるものである。
前記構成において、前記斜辺が、支持板における両葉片間に挿入される側の縁辺部分より上方に延長された場合、特に好ましくは、支持板上に載置される圧着フィルムにおける両葉片間に挿入される側の縁辺部分より上方に延長された場合は、該斜辺の楔作用により、上側葉片が支持板の前記斜辺上を滑り上がると共にさらに該斜辺の頂部を越えて圧着フィルム上面に乗り上がり易くなるため、両葉片間への支持板及び圧着フィルムの挿入はより円滑に行われることになる。
前記圧着フィルム挿入手段に供されるカット紙状の紙葉類としては、連接された２枚の葉片を二つ折りに折り畳んでなる最も単純な形態の紙葉類のみならず、連接された３枚の葉片をジグザグ方向に断面Ｚ字状の三つ折りに折り畳み又は一方方向に断面Ｃ字状の三つ折りに折り畳んでなる紙葉類や、連接された４枚以上の葉片をジグザグ方向に蛇腹式に折り畳み、一方方向に巻くように折り畳み、両側から中央方向に観音開き式に折り畳み、或いはそれらを混合した態様で折り畳んでなる紙葉類等が使用可能であり、何れの紙葉類についても、対向する任意の葉片間に前記の態様で圧着フィルムが挿入されることになる。なお、前記紙葉類の材質として、通常の紙に限らず、合成紙、プラスチックフィルムやシート、布等、広範囲の分野の各種シート類を採用することができる。
前記紙葉類搬送手段、紙葉類折畳み手段、圧着フィルム供給手段、紙葉類圧着手段及び紙葉類切断手段としては、特に限定されるものではなく、従来公知のものが使用されてもよい。前記紙葉類切断手段では、各紙葉類の両葉片間に長尺状の圧着フィルムが挿入された状態の紙葉類を所定サイズに裁断するものであり、必要に応じて、圧着フィルムのみならず各葉片も裁断される。なお、圧着フィルムが挿入された前記紙葉類は、必要に応じて、紙葉類圧着手段を経て紙葉類切断手段に供されてもよく、或いは紙葉類切断手段を経て紙葉類圧着手段に供されてもよい。
また、前記圧着フィルム挿入手段に使用される支持板としては、前記のように上面に圧着フィルムを載置させて両葉片間に挿入するのに適した強度と平坦性を備えたものであればよく、例えば金属、プラスチック、セラミック等の各材料やそれらの材料の複合体で形成されていてもよい。前記支持板の上下動は、例えば支軸を介して遥動し得る構造を好適に採用することができる。前記支持板を、ステンレスその他の強磁性体の金属又はそれらの金属と他の材料との複合体で形成すれば、支持板駆動手段として、例えば、電磁石を消磁及び励磁させて支持板を上下動させるようにした簡易な機構を採用することができる。また、支持板が前記のように支軸を介して遥動し得る構成の場合に、支持板駆動手段として、例えば該支軸を支持板の遥動可能に回転駆動するようにした機構を採用してもよい。
前記圧着フィルム挿入手段における紙葉類送込み手段としては、例えば、折り畳まれた紙葉類を紙葉類搬送路と圧着フィルム供給路との前記交差域へと搬送するための前記紙葉類搬送手段が兼用されてもよく、また該紙葉類搬送手段と、それによりある程度まで送り込まれた紙葉類をその最終位置までさらに移動させる紙葉類移動手段が協働して使用されてもよい。該紙葉類移動手段は、例えば支軸を介してバーを所定角度だけ遥動させて、前記折り畳まれた紙葉類の後端を所定位置まで押圧する機構であってもよい。
また、前記圧着フィルム挿入手段における支持板抜取り手段としては、例えば、支持板に切欠き部を穿設すると共に該支持板の上下に一対の送りローラを前記切欠き部を介して対向配置し、前記交差域において、両葉片間に支持板と圧着フィルムが完全に挿入された紙葉類をその上下面から前記一対の送りローラで挟圧しつつ該送りローラの回転駆動により前記交差域の下流へと搬送させ、それによって、前記支持板は切欠き部のために前記送りローラによる挟圧及び搬送力を受けないようにして前記交差域に残留させると共に前記交差域から搬送される前記紙葉類をその両葉片間に圧着フィルムのみが挿入された状態にするようにした構成を採用してもよい。
支持板の縁辺部分に形成される前記斜辺は、既述のように、紙葉類送込み手段の作動に伴って、上側葉片に楔作用を及ぼしてこれを上方に開かせると共に両葉片間を強制的に開口させものである限り、その形状や形成態様等に特別の制限はない。前記斜辺は、例えば断面直線状に形成されても断面曲線状に形成されてもよく、或いはそれらを混合した形状に形成されてもよく、さらに該斜辺が、支持板における両葉片間に挿入される側の縁辺部分より上方や下方に延長されていてもよい。また、前記斜辺は、支持板の縁辺部分と一体に形成されてもよく、或いは支持板の縁辺部分に取り付けた別部材、例えば断面楔形の別部材により形成されてもよく、該別部材には、支持板の構成材料のみならず、それら以外の材料が採用されてもよい。前記別部材としては、例えば金属、プラスチック、セラミック、紙、布、合成紙等を使用することができる。
さらに、斜辺が形成された前記縁辺部分に、該斜辺の後方に隣接して、圧着フィルムにおける両葉片間に挿入される側の縁辺部分を案内する段差状、エッジ状、屈曲状等の当たりが形成されてもよく、その場合は支持板に対する圧着フィルムの位置決めを前記当たりにより安定且つ確実に行うことができる。なお、前記当たりは、案内される圧着フィルムの上面高さを越えないものであっても差し支えない。
前記斜辺が、既述のように、支持板における両葉片間に挿入される側の縁辺部分より上方に延長され、或いはさらに、支持板上に載置される圧着フィルムにおける両葉片間に挿入される側の縁辺部分より上方に延長された場合は、該斜辺の頂部と支持板の前記縁辺部分や圧着フィルム前記縁辺部分との間に高低差が生じるので、該斜辺の後方に隣接して前記当たりを容易に形成することができる。なお、前記支持板の縁辺部分における斜辺の鋭角をなす先端による危険の防止及び紙葉類等の破損の防止のために、該斜辺の所期の作用効果を阻害しない範囲で、該斜辺の先端に、面取り、アール加工或いはそれらを組み合わせた加工が施されてもよい。
前記構成の圧着フィルム挿入手段では、既述のように、支持板の縁辺部分に、その先端方向に下り傾斜し且つその先端で実質的に鋭角を生じる斜辺が形成されることにより、上側葉片の垂れ下がりに起因する両葉片間の開口不良に対応することができたものであるが、仮に紙葉類が印刷処理で生じたカールにより下側葉片の縁辺部分を上方に大きく湾曲させた状態で前記交差域に搬送された場合は、下側葉片の縁辺部分が予定通り支持板の下方に入り込まずに、該支持板の縁辺部分の上、従って斜辺の上に乗り上げる事態が生じ、その結果として、支持板駆動手段による支持板の下降に伴う下側葉片の押し下げ自体が不可能になり、その後に予定された、両葉片間への支持板及び圧着フィルムの挿入も不可能になるという別の問題が残っていた。
本発明の第二の態様に係る圧着紙葉類製造装置における圧着フィルム挿入手段は、前記問題を解決するものであり、縁辺部分に斜辺が形成された支持板を用いる前記圧着フィルム挿入手段の構成において、斜辺が形成された前記縁辺部分が、支持板本体に対して上向きに湾曲させられ、それによって支持板の下方を広く開口させるようにしたものである。
前記構成によれば、折り畳まれた紙葉類が前記交差域に搬送されたときに、該紙葉類の下側葉片は、その縁辺部分が仮に上方に湾曲していても、支持板の上向きに湾曲した縁辺部分の広く開口した下方に容易に潜り込み、それによって支持板駆動手段による支持板の下降に伴う下側葉片の押し下げ及びそれに続く前記斜辺の楔作用を利用した両葉片間への支持板及び圧着フィルムの挿入が通常通り可能になる。
支持板における斜辺が形成された前記縁辺部分は、該斜辺による前記楔作用を奏し、且つ上方に湾曲した下側葉片を支持板の縁辺部分下方に潜り込ませ得る限り、その湾曲態様に特別の制限はない。前記縁辺部分は、例えば断面直線状に湾曲させられても断面曲線状に湾曲させられてもよく、またそれらを混合した形状に湾曲させられても差し支えない。
本発明の第三の態様に係る圧着紙葉類製造装置における圧着フィルム挿入手段もまた、紙葉類が印刷処理で生じたカールにより下側葉片の縁辺部分を上方に大きく湾曲させた状態で前記交差域に搬送された場合に生じる既述の問題を解決するものであり、縁辺部分に斜辺が形成された支持板を用いる前記圧着フィルム挿入手段の構成において、前記交差域に搬送されてきた紙葉類の下側葉片が支持板に到達する前に、前記支持板における斜辺が形成された縁辺部分が、支持板持上げ手段により一時的に上昇させられ、それによって所要時に支持板の下方を広く開口させるようにしたものである。
前記構成によれば、折り畳まれた紙葉類が前記交差域に搬送されたときに、該紙葉類の下側葉片は、その縁辺部分が仮に上方に湾曲していても、支持板持上げ手段により上昇した支持板の縁辺部分の広く開口した下方に容易に潜り込み、それによって支持板駆動手段による支持板の下降に伴う下側葉片の押し下げ及びそれに続く前記斜辺の楔作用を利用した両葉片間への支持板及び圧着フィルムの挿入が通常通り可能になる。
前記縁辺部分に斜辺が形成された支持板として、既述の第一の態様に係る圧着フィルム挿入手段に使用されるもの及び第二の態様に係る圧着フィルム挿入手段に使用されるものを採用することができるが、後者の支持板を採用した場合は、支持板における上向きに湾曲した縁辺部分が支持板持上げ手段によりさらに上昇させられるので、前記交差域に搬送された該紙葉類の下側葉片に対して、支持板の下方をより広く開口させることができる。
前記支持板持上げ手段としては、例えば支持板の下方にプッシュロッドを配置すると共に該プッシュロッドをソレノイド等の電磁手段や機械的手段等の駆動手段により支持板の上昇可能に駆動するようにしたもの、支持板が前記のように支軸を介して遥動し得る場合に該支軸を支持板の上昇可能に回転駆動するようにしたもの、或いは既述の支持板駆動手段の機能を支持板の上昇可能に拡張したもの等を採用することができる。
【図面の簡単な説明】  図１Ａ〜１Ｃは、本発明の第一の態様に係る圧着フィルム挿入手段における紙葉類への圧着フィルム挿入機構を経時的に説明する要部側面図である。
図２Ａ〜２Ｇは、本発明の第一の態様に係る圧着フィルム挿入手段で使用可能な各支持板の要部断面図である。
図３Ａ〜３Ｃは、本発明の第二の態様に係る圧着フィルム挿入手段における紙葉類への圧着フィルム挿入機構を経時的に説明する要部側面図である。
図４Ａ〜４Ｈは、本発明の第二の態様に係る圧着フィルム挿入手段で使用可能な各支持板の要部断面図である。
図５Ａ〜５Ｄは、本発明の第三の態様に係る圧着フィルム挿入手段における紙葉類への圧着フィルム挿入機構を経時的に説明する要部側面図である。
図６は、支持板を用いる圧着フィルム挿入手段を含む、カット紙用の圧着紙葉類製造装置の要部概念斜視図である。
図７Ａ及び７Ｂは、支持板を用いる圧着フィルム挿入手段における紙葉類と圧着フィルムとの配置関係を各々別視点で説明する要部概念斜視図である。
図８Ａ〜８Ｄは、支持板を用いる圧着フィルム挿入手段における紙葉類への圧着フィルム挿入機構を経時的に説明する要部概念側面図である。
図９Ａ及び９Ｂは、支持板を用いる圧着フィルム挿入手段で使用可能な支持板抜取り手段の作動前における各々要部縦断面図及び要部斜視図である。
図１０Ａ及び１０Ｂは、図９Ａ及び９Ｂに示す支持板抜取り手段の作動準備時における各々要部縦断面図及び要部斜視図である。
図１１Ａ及び１１Ｂは、図９Ａ及び９Ｂに示す支持板抜取り手段の作動開始時における各々要部縦断面図及び要部斜視図である。
図１２は、図９Ａ及び９Ｂに示す支持板抜取り手段の作動中における要部縦断面図及び要部斜視図である。
図１３は、支持板を用いる圧着フィルム挿入手段における、上側葉片の開口側の縁辺部分が波打って一部垂れ下がった状態にある紙葉類と圧着フィルムとの配置関係を説明する、図７Ｂと同様の要部斜視図である。
図１４Ａ〜１４Ｃは、図７Ａ及び７Ｂ、図８Ａ〜８Ｄに示す改良前の支持板を用いる圧着フィルム挿入手段において、折り畳まれた紙葉類として図１３に示すように上側葉片の開口側の縁辺部分が波打って垂れ下がった状態にあるものが使用された場合に発生し得る不具合の発生機構を経時的に説明する要部側面図である。
図１５は、図１Ａ〜１Ｃに示す、本発明の第一の態様に係る圧着フィルム挿入手段において、折り畳まれた紙葉類として下側葉片の開口側の縁辺部分が波打って上方に湾曲した状態にあるものが使用された場合に発生し得る不具合の発生機構を経時的に説明する要部側面図である。
発明の実施をするための最良の形態
以下、本発明を改良前の基本技術と対比させながら添付図面に基づいて具体的に説明する。
（１）  カット紙状の紙葉類を用いる圧着紙葉類製造装置の全体構成
支持板を用いる圧着フィルム挿入手段が適用可能な、カット紙状の紙葉類を用いる圧着紙葉類製造装置では、図６に示すように、給紙部１０のストッカ１１にカット紙状の紙葉類Ｐが積載収容され、各紙葉類Ｐには、複数の葉片Ｐａ，Ｐｂが折り線Ｐｃを介して連接されている。前記の各紙葉類Ｐは、一連の紙葉類搬送手段２０の一部を構成するフィードローラ２１により、前記ストッカ１１から逐次繰り出されると共に左上方向の矢印で示す所定の紙葉類搬送路２２に沿って下流に搬送され、紙葉類折畳み手段３０を構成する折りローラ３１により折り線Ｐｃで二つ折りに折り畳まれ、左上方向の矢印で示す所定の紙葉類搬送路２３に沿ってさらに下流に搬送される。
一方、剥離可能に接着された２層の透明フィルムを含むと共に表裏面に加圧又は加熱及び加圧により接着性を生じる接着剤層が形成されてなる長尺状の圧着フィルムＦが、圧着フィルム供給手段４０を構成するフィルムロール４１から右上方向の矢印で示す所定の圧着フィルム供給路４２に沿って逐次供給される。
紙葉類折畳み手段３０により折り畳まれた前記紙葉類Ｐは、該紙葉類折畳み手段３０より下流の紙葉類搬送路２３と圧着フィルム供給路４２との交差域２４に搬送されると共に、該交差域２４において、詳細には図７Ａ及び７Ｂ〜図１２に示すような圧着フィルム挿入手段５０に供される。
前記圧着フィルム挿入手段５０を通過した前記紙葉類Ｐは、両葉片Ｐａ，Ｐｂ間に圧着フィルムＦが挿入された状態で、図６に示すように、前記交差域２４から右上方向の矢印で示す下流の紙葉類搬送路２５，２６に沿って搬送されると共に、紙葉類圧着手段７０を構成するヒートパネル７１及び加圧ローラ７２並びに紙葉類切断手段８０を構成するカッタ８１に順次供され、それによって葉書その他の圧着紙葉類Ｑが製造されるのである。
（２）  支持板を用いる圧着フィルム挿入手段の基本構成と作用
前記圧着フィルム挿入手段５０においては、図７Ａ及び７Ｂに示すように、強磁性体からなる支持板５１が前記圧着フィルム供給路４２と同方向の支軸５２を介して上下に遥動可能に支承され、支持板５１の下方に、図８Ａ及び８Ｂに示すように、支持板駆動手段５３を構成する電磁石５４が設置され、さらに図９Ａ及び９Ｂに示すように、前記支持板５１に矩形の切欠き部５１ａが穿設されると共に該支持板５１の上下に、支持板抜取り手段５５を構成する二対の送りローラ５６，５７が前記切欠き部５１ａを介して対向配置され、その場合に、上方の送りローラ５６が、その支承部材５８を介して、下方の送りローラ５７に対して上下に遥動可能とされている。
前記交差域２４において、図７Ａ及び７Ｂに示すように、長尺状の圧着フィルムＦが、支持板５１の上面に載置されつつ、右上方向の矢印で示す圧着フィルム供給路４２に沿って逐次進行し、一方、二つ折りに折り畳まれた紙葉類Ｐが、その開口側を先頭にして、前記圧着フィルム供給路４２に対してほぼ直角に左上方向の矢印で示す紙葉類搬送路２３に沿って搬送されてくる。
前記交差域２４に搬送されてきた前記紙葉類Ｐは、前記紙葉類折畳み手段３０により、図７Ａや図８Ａ等に示すように上側葉片Ｐａよりも下側葉片Ｐｂが若干長くなるように折り畳まれており、前記交差域２４において、図８Ａに示す位置、即ち上側葉片Ｐａが支持板５１より手前の上流側に配置され且つ下側葉片Ｐｂの縁辺部分Ｐｂｘが支持板５１の縁辺部分５１ｘの下方に若干入り込む位置で搬送を一旦停止させられる。
前記状態において、図８Ｂに示すように、支持板５１が、その下部に設置された支持板駆動手段５３における電磁石５４の励磁作動により下方に吸引されると共に支軸５２を中心に右下方向の円弧状矢印で示す時計回りに遥動すると、該支持板５１の縁辺部分５１ｘが下降すると同時に下側葉片Ｐｂの縁辺部分Ｐｂｘも該支持板５１に押圧されて押し下げられ、それによって、折り畳まれた紙葉類Ｐの上下両葉片Ｐａ，Ｐｂ間は強制的に開口させられる。そして、前記状態において、図８Ｃに示すように、両葉片Ｐａ，Ｐｂ間が開口した前記紙葉類Ｐが、紙葉類送込み手段６０の前段を兼用する紙葉類搬送手段としてのフィードローラ（図示を省略する。）及び紙葉類送込み手段６０の後段を構成する、支軸６１にストッパ６２まで遥動可能に枢着された押圧バー６３により、圧着フィルムＦが載置された支持板５１に向けて左方向の矢印で示す方向にさらに送り込まれると、両葉片Ｐａ，Ｐｂ間に支持板５１と圧着フィルムＦが同時に挿入され始め、最終的に、図８Ｄに示すように、紙葉類Ｐの折り線Ｐｃの内側部分が支持板５１の縁辺部分５１ｘ先端に当接する位置に到達したところで、前記紙葉類Ｐの送込みが停止させられると共に支持板５１に対する紙葉類Ｐと圧着フィルムＦの位置決めが完了する。
前記のように両葉片Ｐａ，Ｐｂ間に支持板５１と圧着フィルムＦが挿入された前記紙葉類Ｐは、続いて、図１０Ａ及び１０Ｂ〜図１２に示すように、支持板抜取り手段５５における一対の送りローラ５６，５７で挟圧されつつ該送りローラ５６，５７の回転駆動により前記交差域２４の下流へと搬送され、その間に、前記紙葉類Ｐは、図１１Ａ及び１１Ｂに示すように、支持板５１がその切欠き部５１ａのために前記送りローラ５６，５７による挟圧駆動を受けないようにして、従ってその両葉片Ｐａ，Ｐｂ間に圧着フィルムＦのみが挿入された状態にして、図１２に示すように、前記交差域２４から右上方向の矢印で示す下流の紙葉類搬送路２５に沿って搬送されると共に、図６で示すように、紙葉類圧着手段７０以下の工程に供されるのである。
（３）  支持板を用いる圧着フィルム挿入手段の問題点
前記のような支持板５１を用いる圧着フィルム挿入手段５０では、紙葉類Ｐにおける上側葉片Ｐａの開口側の縁辺部分Ｐａｘが、図７Ａ及び７Ｂ並びに図８Ａ及び８Ｂに示すように、実質的に平坦で且つある程度の弾力性があり、垂れ下がらずにほぼ真っ直ぐの状態にある場合には、両葉片Ｐａ，Ｐｂ間への圧着フィルムＦの挿入が図８Ｃ及び８Ｄに示すような手順で問題なく円滑に行われる。
しかしながら、前記紙葉類Ｐが、その印刷処理等に際して図１３に示すように極端なカールを起こして表面に凹凸変形を生じた場合に、前記交差域２４において、上側葉片Ｐａが支持板５１より手前の上流側に配置され且つ下側葉片Ｐｂの縁辺部分Ｐｂｘが支持板５１の縁辺部分５１ｘの下方に若干入り込む位置で該紙葉類Ｐが搬送を一旦停止させられたときに、上側葉片Ｐａの縁辺部分Ｐａｘが、図１３に示すように波打って、図１４Ａに示すように下側葉片Ｐｂに向かって垂れ下がり、次の工程で、支持板駆動手段５３により支持板５１が下降させられると共に下側葉片Ｐｂの縁辺部分Ｐｂｘが該支持板５１に押圧されて押し下げられても、折り畳まれた紙葉類Ｐの上下両葉片Ｐａ，Ｐｂ間は、図１４Ｂに示すように十分に開口しきれず、次の工程で、両葉片Ｐａ，Ｐｂ間の開口が不完全な前記紙葉類Ｐが、既述の紙葉類送込み手段６０（図８Ｃ及び８Ｄ参照）により、圧着フィルムＦが載置された支持板５１に向けて左方向の矢印で示す方向に送り込まれても、圧着フィルムＦが載置された支持板５１が、両葉片Ｐａ，Ｐｂ間に円滑に挿入される状態にならずに、例えば図１４Ｃに示すように、上側葉片Ｐａが、垂れ下がった縁辺部分Ｐａｘにおいて圧着フィルムＦの縁辺部分Ｆｘに引っかかると共に該縁辺部分Ｐａｘから圧着フィルムＦと支持板５１の間に潜り込み、或いは場合によっては支持板５１の下に潜り込んでしまい、それらの結果として紙詰まり（ジャミング）等を生じることになる。
（４）  前記問題点を解決する、第一の態様に係る圧着フィルム挿入手段
本発明の第一の態様に係る圧着フィルム挿入手段５０１では、図１Ａ〜１Ｃに示すように、支持板５１における両葉片Ｐａ，Ｐｂ間に挿入される側の縁辺部分５１ｘに、その先端方向に下り傾斜し且つその先端で実質的に鋭角を生じると共に、支持板５１の前記縁辺部分５１ｘより上方に延長され、さらには支持板５１上に載置される圧着フィルムＦにおける両葉片Ｐａ，Ｐｂ間に挿入される側の縁辺部分Ｆｘより上方にまで延長された断面直線状の斜辺５１ｙが断面矢印形を成すように形成され、該縁辺部分５１ｘには、前記斜辺５１ｙの後方に隣接して、圧着フィルムＦにおける両葉片Ｐａ，Ｐｂ間に挿入される側の縁辺部分Ｆｘを案内する段差状の当たり５１ｂが形成されている。
即ち、前記構成の支持板５１を用いた圧着フィルム挿入手段５０１に、カールを起こして表面に凹凸変形を生じた紙葉類Ｐが使用された場合には、前記交差域２４において、上側葉片Ｐａが支持板５１より手前の上流側に配置され且つ下側葉片Ｐｂの縁辺部分Ｐｂｘが支持板５１の縁辺部分５１ｘの下方に若干入り込む位置で該紙葉類Ｐが搬送を一旦停止させられたときに、図１Ａに示すように、上側葉片Ｐａの縁辺部分Ｐａｘが下側葉片Ｐｂに向かって下方に垂れ下がった状態になり、次の工程で、図１Ｂに示すように、下側葉片Ｐｂの縁辺部分Ｐｂｘが、支持板駆動手段５３により下降させられた支持板５１に押圧されて押し下げられても、両葉片Ｐａ，Ｐｂ間は完全には開口しきれないことになる。しかし、次の工程で、図１Ｃに示すように、前記紙葉類Ｐが、既述の紙葉類送込み手段６０（図８Ｃ及び８Ｄ参照）により、圧着フィルムＦが載置された支持板５１に向けて送り込まれるに従って、該支持板５１の斜辺５１ｙがその鋭角をなす先端から不完全に開口した両葉片Ｐａ，Ｐｂ間に進入し、そのときに生じる前記斜辺５１ｙの楔作用により、上側葉片Ｐａがその縁辺部分Ｐａｘから支持板５１の前記斜辺５１ｙ上を滑り上がると共にさらに該斜辺５１ｙの頂部を越えて圧着フィルムＦ上面に乗り上がり、それによって両葉片Ｐａ，Ｐｂ間が強制的に開口させられると共に両葉片Ｐａ，Ｐｂ間への支持板５１及び圧着フィルムＦの挿入が円滑に行われることになる。
前記第一の態様に係る圧着フィルム挿入手段５０１に使用可能な支持板５１として、図１Ａ〜１Ｃや図２Ａ及び２Ｅ〜２Ｇに示すように、断面直線状の斜辺５１ｙが形成された断面矢印形状の縁辺部分５１ｘを有するもの、図２Ｂ〜２Ｄに示すように、断面曲線状の斜辺５１ｙが形成された断面矢印形状の縁辺部分５１ｘを有するもの等が挙げられる。
図２Ａ〜２Ｇに示す前記支持板５１については、図１Ａ〜１Ｃに示すものと同様に、各斜辺５１ｙが、支持板５１における両葉片Ｐａ，Ｐｂ間に挿入される側の縁辺部分５１ｘより上方に延長されており、またそれらの各縁辺部分５１ｘに、斜辺５１ｙの後方に隣接して、圧着フィルムＦの縁辺部分Ｆｘを案内し得る段差状又は屈曲状の当たり５１ｂが形成されている。図２Ｄに示す支持板５１では、縁辺部分５１ｘより下方に延長された斜辺５１ｙが形成されている。図２Ｅに示す支持板５１では、縁辺部分５１ｘに断面楔形の別部材５９を取り付けると共に該別部材５９には斜辺５１ｙの頂部が縁辺部分５１ｘ上面に張り出すように形成されている。図２Ｆに示す支持板５１では、図２Ａに示す断面矢印形状の縁辺部分５１ｘにおいて、その斜辺５１の鋭角をなす先端に面取り及び／又はアール加工が施されている。図２Ｇに示す支持板５１では、図２Ａに示す断面矢印形状の縁辺部分５１ｘにおいて、その斜辺５１の頂部が縁辺部分５１ｘ上面に張り出すように形成されている。
なお、図示を省略するが、図２Ａ〜２Ｇに示す前記支持板５１において、各斜辺５１ｙが支持板５１の前記縁辺部分５１ｘより上方に延長されないように改変されたもの等も、前記圧着フィルム挿入手段５０１に使用可能であることは言うまでもない。
（５）  支持板を用いる圧着フィルム挿入手段の第二の問題点
前記のように、紙葉類Ｐにおける上側葉片Ｐａの縁辺部分Ｐａｘが図１４Ａに示すように下方に垂れ下がり、支持板駆動手段５３により下側葉片Ｐｂの縁辺部分Ｐｂｘが押し下げられても両葉片Ｐａ，Ｐｂ間が図１４Ｂに示すように完全には開口しきれず、最終的に紙詰まり（ジャミング）に至るという問題については、支持板５１の縁辺部分５１ｘに図１Ａ〜１Ｃ及び図２Ａ〜２Ｇに示すような斜辺５１ｙを形成することにより解決されている。
しかしながら、前記紙葉類Ｐが、印刷処理で生じたカールにより下側葉片Ｐｂの縁辺部分Ｐｂｘを上方に湾曲させた状態で前記交差域２４に搬送された場合は、下側葉片Ｐｂの縁辺部分Ｐｂｘが図１Ａに示すように予定通り支持板５１の下方に入り込まずに、図１５に示すように該支持板５１における縁辺部分の斜辺５１ｙ上に乗り上げる事態が生じ、その結果として支持板駆動手段５３による下側葉片Ｐｂの縁辺部分Ｐｂｘの押し下げが不可能になると共に紙詰まり（ジャミング）を生じることになる。
（６）  前記第二の問題点を解決する、第二の態様に係る圧着フィルム挿入手段
第二の態様に係る圧着フィルム挿入手段５０２では、図３Ａ〜３Ｃに示すように、図１Ａ〜１Ｃに示すような形状、構造の斜辺５１ｙが形成された縁辺部分５１ｘが、支持板５１本体に対して上向きに湾曲させられ、それによって支持板５１の下方を広く開口させている。
即ち、前記構成の支持板５１を用いた圧着フィルム挿入手段５０２において、折り畳まれた紙葉類Ｐが前記交差域２４に搬送されたときに、図３Ａに示すように、該紙葉類Ｐの下側葉片Ｐｂは、その縁辺部分Ｐｂｘが仮に上方に湾曲していても、支持板５１の上向きに湾曲した縁辺部分５１ｘの広く開口した下方に容易に潜り込み、それによって、次の工程で、図３Ｂに示すように、支持板駆動手段５３による支持板５１の下降に伴う下側葉片Ｐｂの縁辺部分Ｐｂｘの押し下げが通常通り行われ、従って、次の工程で、前記紙葉類Ｐが、図３Ｃに示すように、既述の紙葉類送込み手段６０（図８Ｃ及び８Ｄ参照）により、圧着フィルムＦが載置された支持板５１に向けて送り込まれるに従って、既述の第一の態様に係る圧着フィルム挿入手段５０と同様に、前記斜辺５１ｙの楔作用を利用した両葉片Ｐａ，Ｐｂ間への支持板５１及び圧着フィルムＦの挿入が円滑に行われることになる。
前記第二の態様に係る圧着フィルム挿入手段５０２に使用可能な支持板５１として、図４Ａ〜４Ｅに示すように、図２Ａ〜２Ｅに示す各斜辺５１ｙが形成された縁辺部分５１ｘが、上向きに断面直線状に湾曲させられたもの、図４Ｆに示すように、図２Ａに示す斜辺５１ｙが形成された縁辺部分５１ｘが、上向きに断面曲線状に湾曲させられたもの、また図４Ｇに示すように、図２Ａに示す斜辺５１ｙが形成された縁辺部分５１ｘが、上向きに二段階にわたって断面直線状に湾曲させられたもの、さらに図４Ｈに示すように、縁辺部分５１ｘより上方に延長されていない斜辺５１ｙが形成された縁辺部分５１ｘが、上向きに断面直線状に湾曲させられたもの等が挙げられる。図４Ｈに示す支持板５１では、縁辺部分５１ｘの湾曲により生じた屈曲部が、必要に応じて、圧着フィルムＦの縁辺部分Ｆｘを案内し得る当たり５１ｂとして使用される。また、図示を省略するが、図２Ｆ及び２Ｇに示す斜辺５１ｙが形成された縁辺部分５１ｘが、上向きに断面直線状や断面曲線状に湾曲させられたもの等も、前記圧着フィルム挿入手段５０２に使用可能であることは言うまでもない。
（７）  前記第二の問題点を解決する、第三の態様に係る圧着フィルム挿入手段
第三の態様に係る圧着フィルム挿入手段５０３では、図５Ａ〜５Ｄに示すように、縁辺部分５１ｘに図１Ａ〜１Ｃに示すような形状、構造の斜辺５１ｙが形成された支持板５１を用いる前記圧着フィルム挿入手段５０１と同様の構成において、前記交差域２４に搬送されてきた紙葉類Ｐの下側葉片Ｐｂが支持板５１に到達する前に、前記支持板５１における斜辺５１ｙが形成された縁辺部分５１ｘが、支持板持上げ手段６５により一時的に上昇させられ、それによって所要時に支持板５１の下方を広く開口させている。
即ち、前記構成の支持板５１を用いた圧着フィルム挿入手段５０３において、図５Ａに示すように、折り畳まれた紙葉類Ｐが前記交差域２４に搬送され、図５Ｂに示すように、前記紙葉類Ｐの下側葉片Ｐｂが支持板５１に到達する前に、支持板持上げ手段６５を構成するソレノイド６６の励磁作動によりプッシュロッド６７が上昇させられ、該プッシュロッド６７により、前記支持板５１が、支軸５２を中心に下限ストッパ６８の位置から左上方向の円弧状矢印で示す反時計回りに遥動させられると共に、斜辺５１ｙが形成された縁辺部分５１ｘが、上方に上限ストッパ６９の位置まで一時的に上昇させられ、それによって前記紙葉類Ｐの下側葉片Ｐｂは、その縁辺部分Ｐｂｘが仮に上方に湾曲していても、支持板５１の縁辺部分５１ｘの広く開口した下方に容易に潜り込むことができ、次の工程で、図５Ｃに示すように、支持板持上げ手段６５におけるソレノイド６６の消磁作動によりプッシュロッド６７が下降させられ、同時に支持板駆動手段５３による支持板５１の下降に伴う下側葉片Ｐｂの縁辺部分Ｐｂｘの押し下げが通常通り行われ、従って、次の工程で、前記紙葉類Ｐが、図５Ｄに示すように、既述の紙葉類送込み手段６０（図８Ｃ及び８Ｄ参照）により、圧着フィルムＦが載置された支持板５１に向けて送り込まれるに従って、既述の第一の態様に係る圧着フィルム挿入手段５０１と同様に、前記斜辺５１ｙの楔作用を利用した両葉片Ｐａ，Ｐｂ間への支持板５１及び圧着フィルムＦの挿入が円滑に行われることになる。
前記圧着フィルム挿入手段５０３では、既述の圧着フィルム挿入手段５０１に使用される支持板５１のみならず、既述の圧着フィルム挿入手段５０２に使用される支持板５１もまた好適に採用することができる。
なお、前記は、本発明の理解のために、本発明の好ましい実施態様を添付図面に基づいて説明したに過ぎず、本発明の本質から逸脱しない範囲内で種々の変更や修正が可能であることは言うまでもない。
【産業上の利用可能性】  以上のように、本発明に係る圧着紙葉類製造装置における圧着フィルム挿入手段は、カット紙状の紙葉類を用いる圧着紙葉類製造装置に適用されて、カット紙状の紙葉類から、ダイレクトメールを始め、葉書、往復葉書、封書等に利用可能であり、内部に多量の情報が隠蔽され且つ剥離展開可能な圧着紙葉類をジャミングの発生なしに製造することに寄与するものである。
2004002749.tif 000003
2004002749.tif 000004
2004002749.tif 000005
2004002749.tif 000006
2004002749.tif 000007
【図６】
2004002749.tif 000008
2004002749.tif 000009
2004002749.tif 000010
2004002749.tif 000011
2004002749.tif 000012
2004002749.tif 000013
【図１２】
2004002749.tif 000014
【図１３】
2004002749.tif 000015
2004002749.tif 000016
【図１５】
2004002749.tif 000017
【手続補正書】
【提出日】平成17年5月27日(2005.5.27)
【手続補正１】
【補正対象書類名】明細書
【補正対象項目名】全文
【補正方法】変更
【補正の内容】
【書類名】        明細書
【特許請求の範囲】
【請求項１】  複数の葉片が折り線を介して連接されてなるカット紙状の各紙葉類をその給紙部から所定の紙葉類搬送路に沿って逐次搬送する紙葉類搬送手段と、紙葉類搬送路上において各紙葉類を折り畳む紙葉類折畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなるカット紙用の圧着紙葉類製造装置における前記圧着フィルム挿入手段であって、
前記交差域に上下動可能に設けられ、供給されてくる圧着フィルムを上面に載置させる支持板と、前記支持板の上下駆動可能に設けられ、下側葉片が上側葉片より若干長くなるように折り畳まれた紙葉類が前記交差域に搬送されると共に該紙葉類の上側葉片が支持板より上流側に配置され且つ下側葉片が支持板の下方に配置されたときに、前記支持板を圧着フィルムと一体に下降させると共にそれによって該下側葉片を押し下げて両葉片間を強制的に開口させる支持板駆動手段と、両葉片間が開口した前記紙葉類を圧着フィルムが載置された支持板に向けて送り込むと共にそれによって両葉片間に支持板と圧着フィルムを同時に挿入する紙葉類送込み手段と、両葉片間に支持板と圧着フィルムが挿入された前記紙葉類から支持板のみを抜き取ると共にそれによって紙葉類をその両葉片間に圧着フィルムのみが挿入された状態にする支持板抜取り手段とからなる構造において、
前記支持板における両葉片間に挿入される側の縁辺部分に、その先端方向に下り傾斜し且つその先端で実質的に鋭角を生じる斜辺が形成されたことを特徴とする圧着紙葉類製造装置における圧着フィルム挿入手段。
【請求項２】  前記斜辺が、支持板における両葉片間に挿入される側の縁辺部分より上方に延長された、請求項１に記載の圧着紙葉類製造装置における圧着フィルム挿入手段。
【請求項３】  前記斜辺が、断面直線状及び／又は断面曲線状に形成された、請求項１又は２に記載の圧着紙葉類製造装置における圧着フィルム挿入手段。
【請求項４】  前記斜辺が、支持板の前記縁辺部分に取り付けた別部材により形成された、請求項１〜３の何れかに記載の圧着紙葉類製造装置における圧着フィルム挿入手段。
【請求項５】  前記縁辺部分における斜辺の先端に、面取り及び／又はアール加工が施された、請求項１〜４の何れかに記載の圧着紙葉類製造装置における圧着フィルム挿入手段。
【請求項６】  斜辺が形成された前記縁辺部分に、該斜辺の後方に隣接して、圧着フィルムにおける両葉片間に挿入される側の縁辺部分を案内する当たりが形成された、請求項１〜５の何れかに記載の圧着紙葉類製造装置における圧着フィルム挿入手段。
【請求項７】  斜辺が形成された前記縁辺部分が、支持板本体に対して上向きに湾曲させられた、請求項１〜６の何れかに記載の圧着紙葉類製造装置における圧着フィルム挿入手段。
【請求項８】  斜辺が形成された前記縁辺部分が、断面直線状及び／又は断面曲線状に湾曲させられた、請求項７に記載の圧着紙葉類製造装置における圧着フィルム挿入手段。
【請求項９】  前記交差域に搬送されてきた紙葉類の下側葉片が支持板に到達する前に、前記支持板における斜辺が形成された縁辺部分が、支持板持上げ手段により一時的に上昇させられるようにした、請求項１〜８の何れかに記載の圧着紙葉類製造装置における圧着フィルム挿入手段。
【請求項１０】  前記支持板持上げ手段が、支持板の下方に配置されたプッシュロッドを駆動手段により支持板の上昇可能に駆動するものである、請求項９に記載の圧着紙葉類製造装置における圧着フィルム挿入手段。
【発明の詳細な説明】
【０００１】
【産業上の利用分野】
本発明は、ダイレクトメールを始め、葉書、往復葉書、封書等に利用可能な圧着紙葉類を製造するための、カット紙状の紙葉類を用いる圧着紙葉類製造装置に関する。詳しくは、見掛けは通常のダイレクトメール、葉書、往復葉書、封書等であるにもかかわらず、多層に折り畳まれた紙葉類が圧着フィルムを介して剥離可能に圧着積層されているため、内部に多量の情報を隠蔽することが可能な圧着紙葉類をカット紙状の紙葉類から製造するための圧着紙葉類製造装置における圧着フィルム挿入手段に関する。
【０００２】
【従来の技術】
最近、葉書等の郵便物として、情報が表示された複数の葉片が折り線を介して連接された紙葉類を折り畳むと共に対向する葉片間を剥離可能に接着して、多量の情報を送信可能にした圧着紙葉類が多用されている。
【０００３】
前記のような圧着紙葉類の製造装置として、例えば日本国の特開平５−３８８９４号公報や特開平９−７６６６５号公報には、複数の葉片が折り線を介して連接されてなる各紙葉類をその給紙部から所定の紙葉類搬送路に沿って逐次搬送する紙葉類搬送手段と、紙葉類搬送路上において各紙葉類を折り畳む紙葉類折畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなる基本構造を備えたものが提案されている。
【０００４】
前記製造装置により得られる圧着紙葉類は、これを前記のように圧着された両葉片間から開封することにより、該葉片間に挟まれた圧着フィルムの２層の透明フィルム間が剥離され、それによって該圧着紙葉類は、各葉片の情報表示面に透明フィルムが被覆されると共に各葉片上の情報が前記透明フィルムを透して視認され得る状態で展開されることになる。
【０００５】
前記圧着紙葉類では、受取人側で剥離展開されるまでは、各葉片上の情報が外部から視認できないのでプライバシー保護等の秘匿性に優れ、また単葉の書簡等と比較して遥かに多量の情報を通常料金で送信できるので情報量に対する送信費用が大幅に軽減され、さらに各葉片上の情報が透明フィルムで被覆されているので情報の保存性、耐水性、耐汚性等に優れると共に情報に美観を付与して情報伝達の促進や広告宣伝の促進等の効果も奏するものである。
【０００６】
しかし、前記製造装置の何れも、概して大量生産型のものであり、通信販売や通信教育等の大手企業が大量の会員に発信する通知等に利用するには適しているが、例えば中小事務所が少数の会員に定期的に通知する場合に前記のような大掛かりな製造装置を使用すると圧着紙葉類の製造単価が極端に上がるために、小ロットの製造に対応するには無理があった。
【０００７】
特に、特開平５−３８８９４号公報に開示された圧着紙葉類製造装置では、紙葉類として連続フォーム用紙を用いることから該紙葉類の印刷に専用の連続フォーム印刷機を必要とし、例えば中小事務所や家庭等で、パーソナルコンピュータの出力用として一般に使用されているプリンタでは前記連続フォーム用紙の印刷に対応することができないという問題があった。
【０００８】
また、特開平９−７６６６５号公報に開示された圧着紙葉類製造装置では、紙葉類として１枚ずつ搬送される非連続のカット紙を用いることから、紙葉類の印刷に関する前記問題は解決されるが、この製造装置における圧着フィルム挿入手段では、搬送される紙葉類の折り畳みの途中で、圧着フィルムを前記紙葉類と同じ速度で供給しつつ該紙葉類の対向する葉片間に連続的に挿入するという困難な作業を必要とするものであった。
【０００９】
一方、紙葉類の葉片間への圧着フィルムの挿入手段が特に改良され、構造が簡素で小型化の可能な、カット紙状の紙葉類を用いる圧着紙葉類製造装置に係る発明が、本出願人の協力下にジェーディーエルエンジニアリング株式会社により完成され、特願２００１−２９６９７９号として２００２年５月２日付けで出願されている。なお、この特許出願は、現在、ジェーディーエルエンジニアリング株式会社と本出願人であるケイディケイ株式会社との共有となっている。
【００１０】
特願２００１−２９６９７９号に係る前記圧着紙葉類製造装置における圧着フィルム挿入手段は、紙葉類折畳み手段より下流の紙葉類搬送路と圧着フィルム供給路との前記交差域に上下動可能に設けられ、供給されてくる圧着フィルムを上面に載置させる支持板と、前記支持板の上下駆動可能に設けられ、下側葉片が上側葉片より若干長くなるように折り畳まれた紙葉類が前記交差域に搬送されると共に該紙葉類の上側葉片が支持板より上流側に配置され且つ下側葉片が支持板の下方に配置されたときに、前記支持板を圧着フィルムと一体に下降させると共にそれによって該下側葉片を押し下げて両葉片間を強制的に開口させる支持板駆動手段と、両葉片間が開口した前記紙葉類を圧着フィルムが載置された支持板に向けて送り込むと共にそれによって両葉片間に支持板と圧着フィルムを同時に挿入する紙葉類送込み手段とを包含し、さらに、両葉片間に支持板と圧着フィルムが挿入された前記紙葉類から支持板のみを抜き取ると共にそれによって紙葉類をその両葉片間に圧着フィルムのみが挿入された状態にする支持板抜取り手段を事実上必要としている。
【００１１】
【発明が解決しようとする課題】
本発明者等は、前記構造の圧着フィルム挿入手段について種々の条件下における実験を独自に繰り返した結果、支持板を用いる前記圧着フィルム挿入手段では、例えば、紙葉類が、その印刷処理に際して、使用されるプリンタの機種や印刷方式、印刷条件等によっては高温を受け、極端なカールを起こして表面に凹凸変形を生じ、その結果として、折り畳まれた前記紙葉類における上側葉片が波打って下側葉片に向かって垂れ下がるような場合には、既述のような支持板の下降に伴う下側葉片の押し下げによっても両葉片間が十分に開口せず、そのため両葉片間に圧着フィルムが既述のような態様で円滑に挿入されないことになるという新たな問題があることを見出した。
【００１２】
この発明の解決すべき課題は、かかる問題に鑑み、カット紙状の紙葉類を用いる圧着紙葉類製造装置において、印刷処理に際してカールを起こして表面に凹凸変形を生じた紙葉類を使用した場合でも、折り畳まれた紙葉類の両葉片間に圧着フィルムをジャミング等の発生なしに円滑に挿入することができる圧着フィルム挿入手段を提供することにある。
【００１３】
【課題を解決するための手段】
本発明の第一の態様に係る圧着紙葉類製造装置における圧着フィルム挿入手段は、複数の葉片が折り線を介して連接されてなるカット紙状の各紙葉類をその給紙部から所定の紙葉類搬送路に沿って逐次搬送する紙葉類搬送手段と、紙葉類搬送路上において各紙葉類を折り畳む紙葉類折畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなる圧着紙葉類製造装置における前記圧着フィルム挿入手段であって、
前記交差域に上下動可能に設けられ、供給されてくる圧着フィルムを上面に載置させる支持板と、前記支持板の上下駆動可能に設けられ、下側葉片が上側葉片より若干長くなるように折り畳まれた紙葉類が前記交差域に搬送されると共に該紙葉類の上側葉片が支持板より上流側に配置され且つ下側葉片が支持板の下方に配置されたときに、前記支持板を圧着フィルムと一体に下降させると共にそれによって該下側葉片を押し下げて両葉片間を強制的に開口させる支持板駆動手段と、両葉片間が開口した前記紙葉類を圧着フィルムが載置された支持板に向けて送り込むと共にそれによって両葉片間に支持板と圧着フィルムを同時に挿入する紙葉類送込み手段と、両葉片間に支持板と圧着フィルムが挿入された前記紙葉類から支持板のみを抜き取ると共にそれによって紙葉類をその両葉片間に圧着フィルムのみが挿入された状態にする支持板抜取り手段とからなる構造において、
前記支持板における両葉片間に挿入される側の縁辺部分に、その先端方向に下り傾斜し且つその先端で実質的に鋭角を生じる斜辺が形成されたことを特徴としている。
【００１４】
前記構成によれば、紙葉類送込み手段により、両葉片間が開口した前記紙葉類を圧着フィルムが載置された支持板に向けて送り込むに従って、該支持板の縁辺部分に形成された斜辺がその鋭角をなす先端から開口した両葉片間に進入し、そのときに生じる前記斜辺の楔作用により、上側葉片が支持板の前記斜辺上を滑り上がると共に上下の両葉片間が強制的に開口されるので、両葉片間への支持板及び圧着フィルムの挿入が円滑に行われることになる。
【００１５】
前記の場合、仮に紙葉類がその印刷処理でカールを生じて表面に凹凸変形を生じ、そのために前記上側葉片が下方に垂れ下がり、支持板駆動手段の作動後も両葉片間の開口が不完全であっても、前記支持板の斜辺はその先端から開口が不完全な両葉片間に容易に進入し、上側葉片に前記楔作用を及ぼしてこれを上方に開かせると共に両葉片間を強制的に開口させることができるものである。
【００１６】
前記構成において、前記斜辺が、支持板における両葉片間に挿入される側の縁辺部分より上方に延長された場合、特に好ましくは、支持板上に載置される圧着フィルムにおける両葉片間に挿入される側の縁辺部分より上方に延長された場合は、該斜辺の楔作用により、上側葉片が支持板の前記斜辺上を滑り上がると共にさらに該斜辺の頂部を越えて圧着フィルム上面に乗り上がり易くなるため、両葉片間への支持板及び圧着フィルムの挿入はより円滑に行われることになる。
【００１７】
前記圧着フィルム挿入手段に供されるカット紙状の紙葉類としては、連接された２枚の葉片を二つ折りに折り畳んでなる最も単純な形態の紙葉類のみならず、連接された３枚の葉片をジグザグ方向に断面Ｚ字状の三つ折りに折り畳み又は一方方向に断面Ｃ字状の三つ折りに折り畳んでなる紙葉類や、連接された４枚以上の葉片をジグザグ方向に蛇腹式に折り畳み、一方方向に巻くように折り畳み、両側から中央方向に観音開き式に折り畳み、或いはそれらを混合した態様で折り畳んでなる紙葉類等が使用可能であり、何れの紙葉類についても、対向する任意の葉片間に前記の態様で圧着フィルムが挿入されることになる。なお、前記紙葉類の材質として、通常の紙に限らず、合成紙、プラスチックフィルムやシート、布等、広範囲の分野の各種シート類を採用することができる。
【００１８】
前記紙葉類搬送手段、紙葉類折畳み手段、圧着フィルム供給手段、紙葉類圧着手段及び紙葉類切断手段としては、特に限定されるものではなく、従来公知のものが使用されてもよい。前記紙葉類切断手段では、各紙葉類の両葉片間に長尺状の圧着フィルムが挿入された状態の紙葉類を所定サイズに裁断するものであり、必要に応じて、圧着フィルムのみならず各葉片も裁断される。なお、圧着フィルムが挿入された前記紙葉類は、必要に応じて、紙葉類圧着手段を経て紙葉類切断手段に供されてもよく、或いは紙葉類切断手段を経て紙葉類圧着手段に供されてもよい。
【００１９】
また、前記圧着フィルム挿入手段に使用される支持板としては、前記のように上面に圧着フィルムを載置させて両葉片間に挿入するのに適した強度と平坦性を備えたものであればよく、例えば金属、プラスチック、セラミック等の各材料やそれらの材料の複合体で形成されていてもよい。前記支持板の上下動は、例えば支軸を介して遥動し得る構造を好適に採用することができる。前記支持板を、ステンレスその他の強磁性体の金属又はそれらの金属と他の材料との複合体で形成すれば、支持板駆動手段として、例えば、電磁石を消磁及び励磁させて支持板を上下動させるようにした簡易な機構を採用することができる。また、支持板が前記のように支軸を介して遥動し得る構成の場合に、支持板駆動手段として、例えば該支軸を支持板の遥動可能に回転駆動するようにした機構を採用してもよい。
【００２０】
前記圧着フィルム挿入手段における紙葉類送込み手段としては、例えば、折り畳まれた紙葉類を紙葉類搬送路と圧着フィルム供給路との前記交差域へと搬送するための前記紙葉類搬送手段が兼用されてもよく、また該紙葉類搬送手段と、それによりある程度まで送り込まれた紙葉類をその最終位置までさらに移動させる紙葉類移動手段が協働して使用されてもよい。該紙葉類移動手段は、例えば支軸を介してバーを所定角度だけ遥動させて、前記折り畳まれた紙葉類の後端を所定位置まで押圧する機構であってもよい。
【００２１】
また、前記圧着フィルム挿入手段における支持板抜取り手段としては、例えば、支持板に切欠き部を穿設すると共に該支持板の上下に一対の送りローラを前記切欠き部を介して対向配置し、前記交差域において、両葉片間に支持板と圧着フィルムが完全に挿入された紙葉類をその上下面から前記一対の送りローラで挟圧しつつ該送りローラの回転駆動により前記交差域の下流へと搬送させ、それによって、前記支持板は切欠き部のために前記送りローラによる挟圧及び搬送力を受けないようにして前記交差域に残留させると共に前記交差域から搬送される前記紙葉類をその両葉片間に圧着フィルムのみが挿入された状態にするようにした構成を採用してもよい。
【００２２】
支持板の縁辺部分に形成される前記斜辺は、既述のように、紙葉類送込み手段の作動に伴って、上側葉片に楔作用を及ぼしてこれを上方に開かせると共に両葉片間を強制的に開口させものである限り、その形状や形成態様等に特別の制限はない。前記斜辺は、例えば断面直線状に形成されても断面曲線状に形成されてもよく、或いはそれらを混合した形状に形成されてもよく、さらに該斜辺が、支持板における両葉片間に挿入される側の縁辺部分より上方や下方に延長されていてもよい。また、前記斜辺は、支持板の縁辺部分と一体に形成されてもよく、或いは支持板の縁辺部分に取り付けた別部材、例えば断面楔形の別部材により形成されてもよく、該別部材には、支持板の構成材料のみならず、それら以外の材料が採用されてもよい。前記別部材としては、例えば金属、プラスチック、セラミック、紙、布、合成紙等を使用することができる。
【００２３】
さらに、斜辺が形成された前記縁辺部分に、該斜辺の後方に隣接して、圧着フィルムにおける両葉片間に挿入される側の縁辺部分を案内する段差状、エッジ状、屈曲状等の当たりが形成されてもよく、その場合は支持板に対する圧着フィルムの位置決めを前記当たりにより安定且つ確実に行うことができる。なお、前記当たりは、案内される圧着フィルムの上面高さを越えないものであっても差し支えない。
【００２４】
前記斜辺が、既述のように、支持板における両葉片間に挿入される側の縁辺部分より上方に延長され、或いはさらに、支持板上に載置される圧着フィルムにおける両葉片間に挿入される側の縁辺部分より上方に延長された場合は、該斜辺の頂部と支持板の前記縁辺部分や圧着フィルム前記縁辺部分との間に高低差が生じるので、該斜辺の後方に隣接して前記当たりを容易に形成することができる。なお、前記支持板の縁辺部分における斜辺の鋭角をなす先端による危険の防止及び紙葉類等の破損の防止のために、該斜辺の所期の作用効果を阻害しない範囲で、該斜辺の先端に、面取り、アール加工或いはそれらを組み合わせた加工が施されてもよい。
【００２５】
前記構成の圧着フィルム挿入手段では、既述のように、支持板の縁辺部分に、その先端方向に下り傾斜し且つその先端で実質的に鋭角を生じる斜辺が形成されることにより、上側葉片の垂れ下がりに起因する両葉片間の開口不良に対応することができたものであるが、仮に紙葉類が印刷処理で生じたカールにより下側葉片の縁辺部分を上方に大きく湾曲させた状態で前記交差域に搬送された場合は、下側葉片の縁辺部分が予定通り支持板の下方に入り込まずに、該支持板の縁辺部分の上、従って斜辺の上に乗り上げる事態が生じ、その結果として、支持板駆動手段による支持板の下降に伴う下側葉片の押し下げ自体が不可能になり、その後に予定された、両葉片間への支持板及び圧着フィルムの挿入も不可能になるという別の問題が残っていた。
【００２６】
本発明の第二の態様に係る圧着紙葉類製造装置における圧着フィルム挿入手段は、前記問題を解決するものであり、縁辺部分に斜辺が形成された支持板を用いる前記圧着フィルム挿入手段の構成において、斜辺が形成された前記縁辺部分が、支持板本体に対して上向きに湾曲させられ、それによって支持板の下方を広く開口させるようにしたものである。
前記構成によれば、折り畳まれた紙葉類が前記交差域に搬送されたときに、該紙葉類の下側葉片は、その縁辺部分が仮に上方に湾曲していても、支持板の上向きに湾曲した縁辺部分の広く開口した下方に容易に潜り込み、それによって支持板駆動手段による支持板の下降に伴う下側葉片の押し下げ及びそれに続く前記斜辺の楔作用を利用した両葉片間への支持板及び圧着フィルムの挿入が通常通り可能になる。
【００２７】
支持板における斜辺が形成された前記縁辺部分は、該斜辺による前記楔作用を奏し、且つ上方に湾曲した下側葉片を支持板の縁辺部分下方に潜り込ませ得る限り、その湾曲態様に特別の制限はない。前記縁辺部分は、例えば断面直線状に湾曲させられても断面曲線状に湾曲させられてもよく、またそれらを混合した形状に湾曲させられても差し支えない。
本発明の第三の態様に係る圧着紙葉類製造装置における圧着フィルム挿入手段もまた、紙葉類が印刷処理で生じたカールにより下側葉片の縁辺部分を上方に大きく湾曲させた状態で前記交差域に搬送された場合に生じる既述の問題を解決するものであり、縁辺部分に斜辺が形成された支持板を用いる前記圧着フィルム挿入手段の構成において、前記交差域に搬送されてきた紙葉類の下側葉片が支持板に到達する前に、前記支持板における斜辺が形成された縁辺部分が、支持板持上げ手段により一時的に上昇させられ、それによって所要時に支持板の下方を広く開口させるようにしたものである。
【００２８】
前記構成によれば、折り畳まれた紙葉類が前記交差域に搬送されたときに、該紙葉類の下側葉片は、その縁辺部分が仮に上方に湾曲していても、支持板持上げ手段により上昇した支持板の縁辺部分の広く開口した下方に容易に潜り込み、それによって支持板駆動手段による支持板の下降に伴う下側葉片の押し下げ及びそれに続く前記斜辺の楔作用を利用した両葉片間への支持板及び圧着フィルムの挿入が通常通り可能になる。
【００２９】
前記縁辺部分に斜辺が形成された支持板として、既述の第一の態様に係る圧着フィルム挿入手段に使用されるもの及び第二の態様に係る圧着フィルム挿入手段に使用されるものを採用することができるが、後者の支持板を採用した場合は、支持板における上向きに湾曲した縁辺部分が支持板持上げ手段によりさらに上昇させられるので、前記交差域に搬送された該紙葉類の下側葉片に対して、支持板の下方をより広く開口させることができる。
【００３０】
前記支持板持上げ手段としては、例えば支持板の下方にプッシュロッドを配置すると共に該プッシュロッドをソレノイド等の電磁手段や機械的手段等の駆動手段により支持板の上昇可能に駆動するようにしたもの、支持板が前記のように支軸を介して遥動し得る場合に該支軸を支持板の上昇可能に回転駆動するようにしたもの、或いは既述の支持板駆動手段の機能を支持板の上昇可能に拡張したもの等を採用することができる。
【００３１】
【発明の実施の形態】
図１（Ａ）〜（Ｃ）は、本発明の第一の態様に係る圧着フィルム挿入手段における紙葉類への圧着フィルム挿入機構を経時的に説明する要部側面図である。図２（Ａ）〜（Ｇ）は、本発明の第一の態様に係る圧着フィルム挿入手段で使用可能な各支持板の要部断面図である。図３（Ａ）〜（Ｃ）は、本発明の第二の態様に係る圧着フィルム挿入手段における紙葉類への圧着フィルム挿入機構を経時的に説明する要部側面図である。図４（Ａ）〜（Ｈ）は、本発明の第二の態様に係る圧着フィルム挿入手段で使用可能な各支持板の要部断面図である。図５（Ａ）〜（Ｄ）は、本発明の第三の態様に係る圧着フィルム挿入手段における紙葉類への圧着フィルム挿入機構を経時的に説明する要部側面図である。図６は、支持板を用いる圧着フィルム挿入手段を含む、カット紙用の圧着紙葉類製造装置の要部概念斜視図である。図７（Ａ）及び（Ｂ）は、支持板を用いる圧着フィルム挿入手段における紙葉類と圧着フィルムとの配置関係を各々別視点で説明する要部概念斜視図である。図８（Ａ）〜（Ｄ）は、支持板を用いる圧着フィルム挿入手段における紙葉類への圧着フィルム挿入機構を経時的に説明する要部概念側面図である。図９（Ａ）及び（Ｂ）は、支持板を用いる圧着フィルム挿入手段で使用可能な支持板抜取り手段の作動前における各々要部縦断面図及び要部斜視図である。図１０（Ａ）及び（Ｂ）は、図９（Ａ）及び（Ｂ）に示す支持板抜取り手段の作動準備時における各々要部縦断面図及び要部斜視図である。図１１（Ａ）及び（Ｂ）は、図９（Ａ）及び（Ｂ）に示す支持板抜取り手段の作動開始時における各々要部縦断面図及び要部斜視図である。図１２は、図９（Ａ）及び（Ｂ）に示す支持板抜取り手段の作動中における要部斜視図である。図１３は、支持板を用いる圧着フィルム挿入手段における、上側葉片の開口側の縁辺部分が波打って一部垂れ下がった状態にある紙葉類と圧着フィルムとの配置関係を説明する、図７（Ｂ）と同様の要部斜視図である。図１４（Ａ）〜（Ｃ）は、図７（Ａ）及び（Ｂ）、図８（Ａ）〜（Ｄ）に示す改良前の支持板を用いる圧着フィルム挿入手段において、折り畳まれた紙葉類として図１３に示すように上側葉片の開口側の縁辺部分が波打って垂れ下がった状態にあるものが使用された場合に発生し得る不具合の発生機構を経時的に説明する要部側面図である。図１５は、図１（Ａ）〜（Ｃ）に示す、本発明の第一の態様に係る圧着フィルム挿入手段において、折り畳まれた紙葉類として下側葉片の開口側の縁辺部分が波打って上方に湾曲した状態にあるものが使用された場合に発生し得る不具合の発生機構を経時的に説明する要部側面図である。
【００３２】
以下、本発明を改良前の基本技術と対比させながら添付図面に基づいて具体的に説明する。
（１）  カット紙状の紙葉類を用いる圧着紙葉類製造装置の全体構成
支持板を用いる圧着フィルム挿入手段が適用可能な、カット紙状の紙葉類を用いる圧着紙葉類製造装置では、図６に示すように、給紙部１０のストッカ１１にカット紙状の紙葉類Ｐが積載収容され、各紙葉類Ｐには、複数の葉片Ｐa，Ｐbが折り線Ｐcを介して連接されている。前記の各紙葉類Ｐは、一連の紙葉類搬送手段２０の一部を構成するフィードローラ２１により、前記ストッカ１１から逐次繰り出されると共に左上方向の矢印で示す所定の紙葉類搬送路２２に沿って下流に搬送され、紙葉類折畳み手段３０を構成する折りローラ３１により折り線Ｐcで二つ折りに折り畳まれ、左上方向の矢印で示す所定の紙葉類搬送路２３に沿ってさらに下流に搬送される。
【００３３】
一方、剥離可能に接着された２層の透明フィルムを含むと共に表裏面に加圧又は加熱及び加圧により接着性を生じる接着剤層が形成されてなる長尺状の圧着フィルムＦが、圧着フィルム供給手段４０を構成するフィルムロール４１から右上方向の矢印で示す所定の圧着フィルム供給路４２に沿って逐次供給される。
【００３４】
紙葉類折畳み手段３０により折り畳まれた前記紙葉類Ｐは、該紙葉類折畳み手段３０より下流の紙葉類搬送路２３と圧着フィルム供給路４２との交差域２４に搬送されると共に、該交差域２４において、詳細には図７（Ａ）及び（Ｂ）〜図１２に示すような圧着フィルム挿入手段５０に供される。
【００３５】
前記圧着フィルム挿入手段５０を通過した前記紙葉類Ｐは、両葉片Ｐa，Ｐb間に圧着フィルムＦが挿入された状態で、図６に示すように、前記交差域２４から右上方向の矢印で示す下流の紙葉類搬送路２５，２６に沿って搬送されると共に、紙葉類圧着手段７０を構成するヒートパネル７１及び加圧ローラ７２並びに紙葉類切断手段８０を構成するカッタ８１に順次供され、それによって葉書その他の圧着紙葉類Ｑが製造されるのである。
【００３６】
（２）  支持板を用いる圧着フィルム挿入手段の基本構成と作用
前記圧着フィルム挿入手段５０においては、図７（Ａ）及び（Ｂ）に示すように、強磁性体からなる支持板５１が前記圧着フィルム供給路４２と同方向の支軸５２を介して上下に遥動可能に支承され、支持板５１の下方に、図８（Ａ）及び（Ｂ）に示すように、支持板駆動手段５３を構成する電磁石５４が設置され、さらに図９（Ａ）及び（Ｂ）に示すように、前記支持板５１に矩形の切欠き部５１aが穿設されると共に該支持板５１の上下に、支持板抜取り手段５５を構成する二対の送りローラ５６，５７が前記切欠き部５１aを介して対向配置され、その場合に、上方の送りローラ５６が、その支承部材５８を介して、下方の送りローラ５７に対して上下に遥動可能とされている。
【００３７】
前記交差域２４において、図７（Ａ）及び（Ｂ）に示すように、長尺状の圧着フィルムＦが、支持板５１の上面に載置されつつ、右上方向の矢印で示す圧着フィルム供給路４２に沿って逐次進行し、一方、二つ折りに折り畳まれた紙葉類Ｐが、その開口側を先頭にして、前記圧着フィルム供給路４２に対してほぼ直角に左上方向の矢印で示す紙葉類搬送路２３に沿って搬送されてくる。
【００３８】
前記交差域２４に搬送されてきた前記紙葉類Ｐは、前記紙葉類折畳み手段３０により、図７（Ａ）や図８（Ａ）等に示すように上側葉片Ｐaよりも下側葉片Ｐbが若干長くなるように折り畳まれており、前記交差域２４において、図８（Ａ）に示す位置、即ち上側葉片Ｐaが支持板５１より手前の上流側に配置され且つ下側葉片Ｐbの縁辺部分Ｐbxが支持板５１の縁辺部分５１xの下方に若干入り込む位置で搬送を一旦停止させられる。
【００３９】
前記状態において、図８（Ｂ）に示すように、支持板５１が、その下部に設置された支持板駆動手段５３における電磁石５４の励磁作動により下方に吸引されると共に支軸５２を中心に右下方向の円弧状矢印で示す時計回りに遥動すると、該支持板５１の縁辺部分５１xが下降すると同時に下側葉片Ｐbの縁辺部分Ｐbxも該支持板５１に押圧されて押し下げられ、それによって、折り畳まれた紙葉類Ｐの上下両葉片Ｐa，Ｐb間は強制的に開口させられる。そして、前記状態において、図８（Ｃ）に示すように、両葉片Ｐa，Ｐb間が開口した前記紙葉類Ｐが、紙葉類送込み手段６０の前段を兼用する紙葉類搬送手段としてのフィードローラ（図示を省略する。）及び紙葉類送込み手段６０の後段を構成する、支軸６１にストッパ６２まで遥動可能に枢着された押圧バー６３により、圧着フィルムＦが載置された支持板５１に向けて左方向の矢印で示す方向にさらに送り込まれると、両葉片Ｐa，Ｐb間に支持板５１と圧着フィルムＦが同時に挿入され始め、最終的に、図８（Ｄ）に示すように、紙葉類Ｐの折り線Ｐcの内側部分が支持板５１の縁辺部分５１x先端に当接する位置に到達したところで、前記紙葉類Ｐの送込みが停止させられると共に支持板５１に対する紙葉類Ｐと圧着フィルムＦの位置決めが完了する。
【００４０】
前記のように両葉片Ｐa，Ｐb間に支持板５１と圧着フィルムＦが挿入された前記紙葉類Ｐは、続いて、図１０（Ａ）及び（Ｂ）〜図１２に示すように、支持板抜取り手段５５における二対の送りローラ５６，５７で挟圧されつつ該送りローラ５６，５７の回転駆動により前記交差域２４の下流へと搬送され、その間に、前記紙葉類Ｐは、図１１（Ａ）及び（Ｂ）に示すように、支持板５１がその切欠き部５１aのために前記送りローラ５６，５７による挟圧駆動を受けないようにして、従ってその両葉片Ｐa，Ｐb間に圧着フィルムＦのみが挿入された状態にして、図１２に示すように、前記交差域２４から右上方向の矢印で示す下流の紙葉類搬送路２５に沿って搬送されると共に、図６で示すように、紙葉類圧着手段７０以下の工程に供されるのである。
【００４１】
（３）  支持板を用いる圧着フィルム挿入手段の問題点
前記のような支持板５１を用いる圧着フィルム挿入手段５０では、紙葉類Ｐにおける上側葉片Ｐaの開口側の縁辺部分Ｐaxが、図７（Ａ）及び（Ｂ）並びに図８（Ａ）及び（Ｂ）に示すように、実質的に平坦で且つある程度の弾力性があり、垂れ下がらずにほぼ真っ直ぐの状態にある場合には、両葉片Ｐa，Ｐb間への圧着フィルムＦの挿入が図８（Ｃ）及び（Ｄ）に示すような手順で問題なく円滑に行われる。
【００４２】
しかしながら、前記紙葉類Ｐが、その印刷処理等に際して図１３に示すように極端なカールを起こして表面に凹凸変形を生じた場合に、前記交差域２４において、上側葉片Ｐaが支持板５１より手前の上流側に配置され且つ下側葉片Ｐbの縁辺部分Ｐbxが支持板５１の縁辺部分５１xの下方に若干入り込む位置で該紙葉類Ｐが搬送を一旦停止させられたときに、上側葉片Ｐaの縁辺部分Ｐaxが、図１３に示すように波打って、図１４（Ａ）に示すように下側葉片Ｐbに向かって垂れ下がり、次の工程で、支持板駆動手段５３により支持板５１が下降させられると共に下側葉片Ｐbの縁辺部分Ｐbxが該支持板５１に押圧されて押し下げられても、折り畳まれた紙葉類Ｐの上下両葉片Ｐa，Ｐb間は、図１４（Ｂ）に示すように十分に開口しきれず、次の工程で、両葉片Ｐa，Ｐb間の開口が不完全な前記紙葉類Ｐが、既述の紙葉類送込み手段６０（図８（Ｃ）及び（Ｄ）参照）により、圧着フィルムＦが載置された支持板５１に向けて左方向の矢印で示す方向に送り込まれても、圧着フィルムＦが載置された支持板５１が、両葉片Ｐa，Ｐb間に円滑に挿入される状態にならずに、例えば図１４（Ｃ）に示すように、上側葉片Ｐaが、垂れ下がった縁辺部分Ｐaxにおいて圧着フィルムＦの縁辺部分Ｆxに引っかかると共に該縁辺部分Ｐaxから圧着フィルムＦと支持板５１の間に潜り込み、或いは場合によっては支持板５１の下に潜り込んでしまい、それらの結果として紙詰まり（ジャミング）等を生じることになる。
【００４３】
（４）  前記問題点を解決する、第一の態様に係る圧着フィルム挿入手段
本発明の第一の態様に係る圧着フィルム挿入手段５０１では、図１（Ａ）〜（Ｃ）に示すように、支持板５１における両葉片Ｐa，Ｐb間に挿入される側の縁辺部分５１xに、その先端方向に下り傾斜し且つその先端で実質的に鋭角を生じると共に、支持板５１の前記縁辺部分５１xより上方に延長され、さらには支持板５１上に載置される圧着フィルムＦにおける両葉片Ｐa，Ｐb間に挿入される側の縁辺部分Ｆxより上方にまで延長された断面直線状の斜辺５１yが断面矢印形を成すように形成され、該縁辺部分５１xには、前記斜辺５１yの後方に隣接して、圧着フィルムＦにおける両葉片Ｐa，Ｐb間に挿入される側の縁辺部分Ｆxを案内する段差状の当たり５１bが形成されている。
【００４４】
即ち、前記構成の支持板５１を用いた圧着フィルム挿入手段５０１に、カールを起こして表面に凹凸変形を生じた紙葉類Ｐが使用された場合には、前記交差域２４において、上側葉片Ｐaが支持板５１より手前の上流側に配置され且つ下側葉片Ｐbの縁辺部分Ｐbxが支持板５１の縁辺部分５１xの下方に若干入り込む位置で該紙葉類Ｐが搬送を一旦停止させられたときに、図１（Ａ）に示すように、上側葉片Ｐaの縁辺部分Ｐaxが下側葉片Ｐbに向かって下方に垂れ下がった状態になり、次の工程で、図１（Ｂ）に示すように、下側葉片Ｐbの縁辺部分Ｐbxが、支持板駆動手段５３により下降させられた支持板５１に押圧されて押し下げられても、両葉片Ｐa，Ｐb間は完全には開口しきれないことになる。しかし、次の工程で、図１（Ｃ）に示すように、前記紙葉類Ｐが、既述の紙葉類送込み手段６０（図８（Ｃ）及び（Ｄ）参照）により、圧着フィルムＦが載置された支持板５１に向けて送り込まれるに従って、該支持板５１の斜辺５１yがその鋭角をなす先端から不完全に開口した両葉片Ｐa，Ｐb間に進入し、そのときに生じる前記斜辺５１yの楔作用により、上側葉片Ｐaがその縁辺部分Ｐaxから支持板５１の前記斜辺５１y上を滑り上がると共にさらに該斜辺５１yの頂部を越えて圧着フィルムＦ上面に乗り上がり、それによって両葉片Ｐa，Ｐb間が強制的に開口させられると共に両葉片Ｐa，Ｐb間への支持板５１及び圧着フィルムＦの挿入が円滑に行われることになる。
【００４５】
前記第一の態様に係る圧着フィルム挿入手段５０１に使用可能な支持板５１として、図１（Ａ）〜（Ｃ）や図２（Ａ）及び２（Ｅ）〜（Ｇ）に示すように、断面直線状の斜辺５１yが形成された断面矢印形状の縁辺部分５１xを有するもの、図２（Ｂ）〜（Ｄ）に示すように、断面曲線状の斜辺５１yが形成された断面矢印形状の縁辺部分５１xを有するもの等が挙げられる。
【００４６】
図２（Ａ）〜（Ｇ）に示す前記支持板５１については、図１（Ａ）〜（Ｃ）に示すものと同様に、各斜辺５１yが、支持板５１における両葉片Ｐa，Ｐb間に挿入される側の縁辺部分５１xより上方に延長されており、またそれらの各縁辺部分５１xに、斜辺５１yの後方に隣接して、圧着フィルムＦの縁辺部分Ｆxを案内し得る段差状又は屈曲状の当たり５１bが形成されている。図２（Ｄ）に示す支持板５１では、縁辺部分５１xより下方に延長された斜辺５１yが形成されている。図２（Ｅ）に示す支持板５１では、縁辺部分５１xに断面楔形の別部材５９を取り付けると共に該別部材５９には斜辺５１yの頂部が縁辺部分５１x上面に張り出すように形成されている。図２（Ｆ）に示す支持板５１では、図２（Ａ）に示す断面矢印形状の縁辺部分５１xにおいて、その斜辺５１yの鋭角をなす先端に面取り及び／又はアール加工が施されている。図２（Ｇ）に示す支持板５１では、図２（Ａ）に示す断面矢印形状の縁辺部分５１xにおいて、その斜辺５１yの頂部が縁辺部分５１x上面に張り出すように形成されている。
【００４７】
なお、図示を省略するが、図２（Ａ）〜（Ｇ）に示す前記支持板５１において、各斜辺５１yが支持板５１の前記縁辺部分５１xより上方に延長されないように改変されたもの等も、前記圧着フィルム挿入手段５０１に使用可能であることは言うまでもない。
【００４８】
（５）  支持板を用いる圧着フィルム挿入手段の第二の問題点
前記のように、紙葉類Ｐにおける上側葉片Ｐaの縁辺部分Ｐaxが図１４（Ａ）に示すように下方に垂れ下がり、支持板駆動手段５３により下側葉片Ｐbの縁辺部分Ｐbxが押し下げられても両葉片Ｐa，Ｐb間が図１４（Ｂ）に示すように完全には開口しきれず、最終的に紙詰まり（ジャミング）に至るという問題については、支持板５１の縁辺部分５１xに図１（Ａ）〜（Ｃ）及び図２（Ａ）〜（Ｇ）に示すような斜辺５１yを形成することにより解決されている。
【００４９】
しかしながら、前記紙葉類Ｐが、印刷処理で生じたカールにより下側葉片Ｐbの縁辺部分Ｐbxを上方に湾曲させた状態で前記交差域２４に搬送された場合は、下側葉片Ｐbの縁辺部分Ｐbxが図１（Ａ）に示すように予定通り支持板５１の下方に入り込まずに、図１５に示すように該支持板５１における縁辺部分の斜辺５１y上に乗り上げる事態が生じ、その結果として支持板駆動手段５３による下側葉片Ｐbの縁辺部分Ｐbxの押し下げが不可能になると共に紙詰まり（ジャミング）を生じることになる。
【００５０】
（６）  前記第二の問題点を解決する、第二の態様に係る圧着フィルム挿入手段
第二の態様に係る圧着フィルム挿入手段５０２では、図３（Ａ）〜（Ｃ）に示すように、図１（Ａ）〜（Ｃ）に示すような形状、構造の斜辺５１yが形成された縁辺部分５１xが、支持板５１本体に対して上向きに湾曲させられ、それによって支持板５１の下方を広く開口させている。
【００５１】
即ち、前記構成の支持板５１を用いた圧着フィルム挿入手段５０２において、折り畳まれた紙葉類Ｐが前記交差域２４に搬送されたときに、図３（Ａ）に示すように、該紙葉類Ｐの下側葉片Ｐbは、その縁辺部分Ｐbxが仮に上方に湾曲していても、支持板５１の上向きに湾曲した縁辺部分５１xの広く開口した下方に容易に潜り込み、それによって、次の工程で、図３（Ｂ）に示すように、支持板駆動手段５３による支持板５１の下降に伴う下側葉片Ｐbの縁辺部分Ｐbxの押し下げが通常通り行われ、従って、次の工程で、前記紙葉類Ｐが、図３（Ｃ）に示すように、既述の紙葉類送込み手段６０（図８（Ｃ）及び（Ｄ）参照）により、圧着フィルムＦが載置された支持板５１に向けて送り込まれるに従って、既述の第一の態様に係る圧着フィルム挿入手段５０と同様に、前記斜辺５１yの楔作用を利用した両葉片Ｐa，Ｐb間への支持板５１及び圧着フィルムＦの挿入が円滑に行われることになる。
【００５２】
前記第二の態様に係る圧着フィルム挿入手段５０２に使用可能な支持板５１として、図４（Ａ）〜（Ｅ）に示すように、図２（Ａ）〜（Ｅ）に示す各斜辺５１yが形成された縁辺部分５１xが、上向きに断面直線状に湾曲させられたもの、図４（Ｆ）に示すように、図２（Ａ）に示す斜辺５１yが形成された縁辺部分５１xが、上向きに断面曲線状に湾曲させられたもの、また図４（Ｇ）に示すように、図２（Ａ）に示す斜辺５１yが形成された縁辺部分５１xが、上向きに二段階にわたって断面直線状に湾曲させられたもの、さらに図４（Ｈ）に示すように、縁辺部分５１xより上方に延長されていない斜辺５１yが形成された縁辺部分５１xが、上向きに断面直線状に湾曲させられたもの等が挙げられる。図４（Ｈ）に示す支持板５１では、縁辺部分５１xの湾曲により生じた屈曲部が、必要に応じて、圧着フィルムＦの縁辺部分Ｆxを案内し得る当たり５１bとして使用される。また、図示を省略するが、図２（Ｆ）及び（Ｇ）に示す斜辺５１yが形成された縁辺部分５１xが、上向きに断面直線状や断面曲線状に湾曲させられたもの等も、前記圧着フィルム挿入手段５０２に使用可能であることは言うまでもない。
【００５３】
（７）  前記第二の問題点を解決する、第三の態様に係る圧着フィルム挿入手段
第三の態様に係る圧着フィルム挿入手段５０３では、図５（Ａ）〜（Ｄ）に示すように、縁辺部分５１xに図１（Ａ）〜（Ｃ）に示すような形状、構造の斜辺５１yが形成された支持板５１を用いる前記圧着フィルム挿入手段５０１と同様の構成において、前記交差域２４に搬送されてきた紙葉類Ｐの下側葉片Ｐbが支持板５１に到達する前に、前記支持板５１における斜辺５１yが形成された縁辺部分５１xが、支持板持上げ手段６５により一時的に上昇させられ、それによって所要時に支持板５１の下方を広く開口させている。
【００５４】
即ち、前記構成の支持板５１を用いた圧着フィルム挿入手段５０３において、図５（Ａ）に示すように、折り畳まれた紙葉類Ｐが前記交差域２４に搬送され、図５（Ｂ）に示すように、前記紙葉類Ｐの下側葉片Ｐbが支持板５１に到達する前に、支持板持上げ手段６５を構成するソレノイド６６の励磁作動によりプッシュロッド６７が上昇させられ、該プッシュロッド６７により、前記支持板５１が、支軸５２を中心に下限ストッパ６８の位置から左上方向の円弧状矢印で示す反時計回りに遥動させられると共に、斜辺５１yが形成された縁辺部分５１xが、上方に上限ストッパ６９の位置まで一時的に上昇させられ、それによって前記紙葉類Ｐの下側葉片Ｐbは、その縁辺部分Ｐbxが仮に上方に湾曲していても、支持板５１の縁辺部分５１xの広く開口した下方に容易に潜り込むことができ、次の工程で、図５（Ｃ）に示すように、支持板持上げ手段６５におけるソレノイド６６の消磁作動によりプッシュロッド６７が下降させられ、同時に支持板駆動手段５３による支持板５１の下降に伴う下側葉片Ｐbの縁辺部分Ｐbxの押し下げが通常通り行われ、従って、次の工程で、前記紙葉類Ｐが、図５（Ｄ）に示すように、既述の紙葉類送込み手段６０（図８（Ｃ）及び（Ｄ）参照）により、圧着フィルムＦが載置された支持板５１に向けて送り込まれるに従って、既述の第一の態様に係る圧着フィルム挿入手段５０１と同様に、前記斜辺５１yの楔作用を利用した両葉片Ｐa，Ｐb間への支持板５１及び圧着フィルムＦの挿入が円滑に行われることになる。
【００５５】
前記圧着フィルム挿入手段５０３では、既述の圧着フィルム挿入手段５０１に使用される支持板５１のみならず、既述の圧着フィルム挿入手段５０２に使用される支持板５１もまた好適に採用することができる。
【００５６】
なお、前記は、本発明の理解のために、本発明の好ましい実施態様を添付図面に基づいて説明したに過ぎず、本発明の本質から逸脱しない範囲内で種々の変更や修正が可能であることは言うまでもない。
【００５７】
【産業上の利用可能性】
以上のように、本発明に係る圧着紙葉類製造装置における圧着フィルム挿入手段は、カット紙状の紙葉類を用いる圧着紙葉類製造装置に適用されて、カット紙状の紙葉類から、ダイレクトメールを始め、葉書、往復葉書、封書等に利用可能であり、内部に多量の情報が隠蔽され且つ剥離展開可能な圧着紙葉類をジャミングの発生なしに製造することに寄与するものである。
【図面の簡単な説明】
【図１】
図１（Ａ）〜（Ｃ）は、本発明の第一の態様に係る圧着フィルム挿入手段における紙葉類への圧着フィルム挿入機構を経時的に説明する要部側面図である。
【図２】
図２（Ａ）〜（Ｇ）は、本発明の第一の態様に係る圧着フィルム挿入手段で使用可能な各支持板の要部断面図である。
【図３】
図３（Ａ）〜（Ｃ）は、本発明の第二の態様に係る圧着フィルム挿入手段における紙葉類への圧着フィルム挿入機構を経時的に説明する要部側面図である。
【図４】
図４（Ａ）〜（Ｈ）は、本発明の第二の態様に係る圧着フィルム挿入手段で使用可能な各支持板の要部断面図である。
【図５】
図５（Ａ）〜（Ｄ）は、本発明の第三の態様に係る圧着フィルム挿入手段における紙葉類への圧着フィルム挿入機構を経時的に説明する要部側面図である。
【図６】
図６は、支持板を用いる圧着フィルム挿入手段を含む、カット紙用の圧着紙葉類製造装置の要部概念斜視図である。
【図７】
図７（Ａ）及び（Ｂ）は、支持板を用いる圧着フィルム挿入手段における紙葉類と圧着フィルムとの配置関係を各々別視点で説明する要部概念斜視図である。
【図８】
図８（Ａ）〜（Ｄ）は、支持板を用いる圧着フィルム挿入手段における紙葉類への圧着フィルム挿入機構を経時的に説明する要部概念側面図である。
【図９】
図９（Ａ）及び（Ｂ）は、支持板を用いる圧着フィルム挿入手段で使用可能な支持板抜取り手段の作動前における各々要部縦断面図及び要部斜視図である。
【図１０】
図１０（Ａ）及び（Ｂ）は、図９（Ａ）及び（Ｂ）に示す支持板抜取り手段の作動準備時における各々要部縦断面図及び要部斜視図である。
【図１１】
図１１（Ａ）及び（Ｂ）は、図９（Ａ）及び（Ｂ）に示す支持板抜取り手段の作動開始時における各々要部縦断面図及び要部斜視図である。
【図１２】
図１２は、図９（Ａ）及び（Ｂ）に示す支持板抜取り手段の作動中における要部斜視図である。
【図１３】
図１３は、支持板を用いる圧着フィルム挿入手段における、上側葉片の開口側の縁辺部分が波打って一部垂れ下がった状態にある紙葉類と圧着フィルムとの配置関係を説明する、図７（Ｂ）と同様の要部斜視図である。
【図１４】
図１４（Ａ）〜（Ｃ）は、図７（Ａ）及び（Ｂ）、図８（Ａ）〜（Ｄ）に示す改良前の支持板を用いる圧着フィルム挿入手段において、折り畳まれた紙葉類として図１３に示すように上側葉片の開口側の縁辺部分が波打って垂れ下がった状態にあるものが使用された場合に発生し得る不具合の発生機構を経時的に説明する要部側面図である。
【図１５】
図１５は、図１（Ａ）〜（Ｃ）に示す、本発明の第一の態様に係る圧着フィルム挿入手段において、折り畳まれた紙葉類として下側葉片の開口側の縁辺部分が波打って上方に湾曲した状態にあるものが使用された場合に発生し得る不具合の発生機構を経時的に説明する要部側面図である。
【符号の説明】
Ｆ  圧着フィルム
Ｐ  紙葉類
Ｐa，Ｐb  葉片
Ｑ  圧着紙葉類
２０  紙葉類搬送手段
３０  紙葉類折畳み手段
５１  支持板
５１x  支持板の縁辺部分
５１y  支持板の斜辺
５５  支持板抜取り手段
６０  紙葉類送込み手段
７０  紙葉類圧着手段
８０  紙葉類切断手段
【手続補正２】
【補正対象書類名】図面
【補正対象項目名】全図
【補正方法】変更
【補正の内容】
【図１】
2004002749.tif 000018
【図２】
2004002749.tif 000019
【図３】
2004002749.tif 000020
【図４】
2004002749.tif 000021
【図５】
2004002749.tif 000022
【図６】
2004002749.tif 000023
【図７】
2004002749.tif 000024
【図８】
2004002749.tif 000025
【図９】
2004002749.tif 000026
【図１０】
2004002749.tif 000027
【図１１】
2004002749.tif 000028
【図１２】
2004002749.tif 000029
【図１３】
2004002749.tif 000030
【図１４】
2004002749.tif 000031
【図１５】
2004002749.tif 000032
【国際調査報告】
2004002749.tif 000033
2004002749.tif 000034